(57)【要約】【課題】  紙詰まり等のトラブルで機内に残留した残留用紙をトラブル解消後に排出口に自動排出するときに、残留用紙に応じて前記排出口を決定し残留用紙を利用者が分別しやすくする。【解決手段】  複数の排出口及び排出口切替爪を設けておいて排出口の選択を可能にしておく。残留用紙が生じたときには、その残留用紙がどのような用紙かを用紙情報管理部６３が管理するその用紙情報によって残留用紙認識部６４が認識し、排出口決定部６５が排出口決定条件とその残留用紙の用紙情報とによって残留用紙の排出口を決定する。排出制御部６６は、残留用紙を機外に排出する動作を実行し、この排出動作実行の際に、前記排出口切替爪を動作させ、前記排出口決定部６６で決定された排出口に各残留用紙を導く。【選択図】  図２
2011063398.tif 000002
【特許請求の範囲】
【請求項１】
用紙搬送路上の残留用紙の有無を検出する残留用紙検出部と、
印刷する用紙の用紙情報を生成して記憶させる用紙情報管理部と、
前記残留用紙検出部により検出された残留用紙の用紙情報を、前記用紙情報管理部により記憶させた用紙情報に基づいて認識する残留用紙認識部と、
前記残留用紙認識部で認識された残留用紙の用紙情報と前記用紙情報と関連させて設定した排出口決定条件とに基づいて残留用紙の排出口を決定する排出口決定部と、
用紙を排出するための複数の排出口と、
用紙を排出する排出口を切り替える排出口切替部と、
前記残留用紙検出部によって検出された残留用紙を前記用紙搬送路から排出する排紙処理を実行する際に、前記排出口決定部で決定された排出口に前記残留用紙が導かれるように前記排出口切替部を動作させる排出制御部と、を備えたことを特徴とする画像形成装置。
【請求項２】
用紙の紙詰まりの有無を判断する紙詰まり判断部と、
用紙が紙詰まりを生じた場合に用紙搬送路上で前記紙詰まり用紙とは別の用紙の残留の有無を検出する残留用紙検出部と、
印刷する用紙の用紙情報を生成して記憶させる用紙情報管理部と、
前記残留用紙検出部により検出された残留用紙の用紙情報を、前記用紙情報管理部により記憶させた用紙情報に基づいて認識する残留用紙認識部と、
前記残留用紙認識部で認識された残留用紙の用紙情報と前記用紙情報と関連させて設定した排出口決定条件とに基づいて残留用紙ごとの排出口を決定する排出口決定部と、
前記用紙搬送路を機外に露呈するための開閉扉と、
前記開閉扉の開閉を検出する開閉検出部と、
用紙を排出するための複数の排出口と、
用紙を排出する排出口を切り替える排出口切替部と、
排出制御部と、を備えており、
前記排出制御部は、
前記開閉検出部にて開閉扉が閉じられたことを検出すると、前記残留用紙検出部にて検出された残留用紙の用紙情報を前記残留用紙認識部で認識してこの残留用紙の排出口を前記排出口決定部で決定させ、
検出された残留用紙を前記用紙搬送路から排出する排紙処理を実行する際に、前記排出口決定部で決定された排出口に前記残留用紙が導かれるように前記排出口切替部を動作させる
ことを特徴とする画像形成装置。
【請求項３】
請求項１又は請求項２に記載の画像形成装置において、前記排出口決定部は、操作者によって設定された排出口決定条件を保持させることを特徴とする画像形成装置。
【請求項４】
請求項１〜請求項３のいずれか１項に記載の画像形成装置において、前記用紙情報管理部は、前記用紙情報として、未印字、片面印字済及び両面印字済を示す情報を生成して記憶させ、前記排出口決定部は、残留用紙が、未印字、片面印字済又は両面印字済かを前記排出口決定条件とし、排出口を決定することを特徴とする画像形成装置。
【請求項５】
請求項４に記載の画像形成装置において、前記用紙情報管理部は、前記用紙情報として、片面が印刷済である裏紙を給紙トレイにセットしたことを示す裏紙情報が記憶されている場合、この裏紙がセットされたことを考慮して、片面印字済及び両面印字済を示す情報を生成して記憶させることを特徴とする画像形成装置。
【請求項６】
請求項１〜請求項３のいずれか１項に記載の画像形成装置において、前記用紙情報管理部は、前記用紙情報として、用紙種類を示す情報を記憶させ、前記排出口決定部は、残留用紙の用紙種類を前記排出口決定条件とし、排出口を決定することを特徴とする画像形成装置。
【請求項７】
請求項１〜請求項３のいずれか１項に記載の画像形成装置において、前記用紙情報管理部は、前記用紙情報として、用紙位置を示す情報を記憶させ、前記排出口決定部は、残留用紙の用紙位置を前記排出口決定条件とし、排出口を決定することを特徴とする画像形成装置。
【請求項８】
請求項１〜請求項３のいずれか１項に記載の画像形成装置において、前記用紙情報管理部は、前記用紙情報として、重要書類を示す情報を記憶させ、前記排出口決定部は、残留用紙が重要書類の印刷物かどうかを前記排出口決定条件とし、排出口を決定することを特徴とする画像形成装置。
【発明の詳細な説明】
【技術分野】
【０００１】
本発明は、複写機，プリンタ，ファクシミリ及びこれらの複合機等の画像形成装置に係り、特に、紙詰まり（ジャム）等が生じたときに用紙搬送路上に残留した用紙を排出口に排出するようにした点に特徴を有するものである。
【背景技術】
【０００２】
複写機，プリンタ，ファクシミリ及びこれらの複合機等の画像形成装置においては、紙詰まりが生じたときに画像形成動作を停止し、紙詰まりが生じた箇所を操作パネル上に表示し、紙詰まりを生じた用紙を除去することを操作者に促すようにしている。
【０００３】
そして、特許文献１では、紙詰まりを生じた用紙が除去されたことを検出すると、用紙搬送を再開して機内に残る後続（上流）の残留用紙を排出口に排紙することが提案されている。
【０００４】
また、特許文献２では、複数の排出口を有し、機内に残る残留用紙を最寄りの排出口に排出するようにしている。すなわち、残留用紙の位置と排出口との間の距離を極力短くして、残留用紙の素早い排出を実現すると共にこの排出の際の紙詰まり防止を図ることが提案されている。
【０００５】
また、特許文献３では、機内に滞留することとなった用紙を、機内の所定箇所に設けた滞留用紙回収用の専用トレイに積載することが提案されている。
【先行技術文献】
【特許文献】
【０００６】
【特許文献１】特開平８−４０６３５号公報
【特許文献２】特開平７−８９６３９号公報
【特許文献３】特開２００３−９５５０８号公報
【発明の開示】
【発明が解決しようとする課題】
【０００７】
しかしながら、これら特許文献に記載の技術では、用紙搬送を再開して残留用紙を排出口等に自動排出することができるが、用紙の状態に対応して分別して排出することはできない。すなわち、上記の残留用紙においては、例えば、未印字、片面印字済、両面印字済というように状態が相違している場合があり、このような状態が相違する残留用紙を同じ排出箇所に排出したのでは、その後に利用者は残留用紙を分別しなければならず、そのための時間や負担が必要になるという問題があった。
【０００８】
本発明は、紙詰まりなどのトラブルが生じたときに機内に残留する残留用紙を排出口に自動排出するようにした画像形成装置における上記のような問題を解決することを課題とするものである。
【０００９】
すなわち、本発明においては、上記のような画像形成装置において、自動排出される残留用紙をその状態に対応して自動分別を可能にすることを課題とするものである。
【課題を解決するための手段】
【００１０】
本発明の画像形成装置は、上記の課題を解決するため、用紙搬送路上の残留用紙の有無を検出する残留用紙検出部と、印刷する用紙の用紙情報を生成して記憶させる用紙情報管理部と、前記残留用紙検出部により検出された残留用紙の用紙情報を、前記用紙情報管理部により記憶させた用紙情報に基づいて認識する残留用紙認識部と、前記残留用紙認識部で認識された残留用紙の用紙情報と前記用紙情報と関連させて設定した排出口決定条件とに基づいて残留用紙の排出口を決定する排出口決定部と、用紙を排出するための複数の排出口と、用紙を排出する排出口を切り替える排出口切替部と、前記残留用紙検出部によって検出された残留用紙を前記用紙搬送路から排出する排紙処理を実行する際に、前記排出口決定部で決定された排出口に前記残留用紙が導かれるように前記排出口切替部を動作させる排出制御部と、を備えたことを特徴とする。
【００１１】
上記の構成により、前記残留用紙検出部によって検出された残留用紙を前記用紙搬送路から排出する排紙処理を実行する際には、前記排出口決定部で決定された排出口に前記残留用紙が導かれるので、残留用紙は自動分別されて排出口に排出される。
【００１２】
また、本発明の画像形成装置は、用紙の紙詰まりの有無を判断する紙詰まり判断部と、用紙が紙詰まりを生じた場合に用紙搬送路上で前記紙詰まり用紙とは別の用紙の残留の有無を検出する残留用紙検出部と、印刷する用紙の用紙情報を生成して記憶させる用紙情報管理部と、前記残留用紙検出部により検出された残留用紙の用紙情報を、前記用紙情報管理部により記憶させた用紙情報に基づいて認識する残留用紙認識部と、前記残留用紙認識部で認識された残留用紙の用紙情報と前記用紙情報と関連させて設定した排出口決定条件とに基づいて残留用紙ごとの排出口を決定する排出口決定部と、前記用紙搬送路を機外に露呈するための開閉扉と、前記開閉扉の開閉を検出する開閉検出部と、用紙を排出するための複数の排出口と、用紙を排出する排出口を切り替える排出口切替部と、排出制御部と、を備えており、前記排出制御部は、前記開閉検出部にて開閉扉が閉じられたことを検出すると、前記残留用紙検出部にて検出された残留用紙の用紙情報を前記残留用紙認識部で認識してこの残留用紙の排出口を前記排出口決定部で決定させ、検出された残留用紙を前記用紙搬送路から排出する排紙処理を実行する際に、前記排出口決定部で決定された排出口に前記残留用紙が導かれるように前記排出口切替部を動作させることを特徴とする。
【００１３】
上記構成においては、紙詰まり用紙が発生したとき、操作者が紙詰まり用紙を除去して開閉扉を閉じると、前記排出制御部による排紙処理が実行される。そして、この排紙処理において、前記排出口決定部で決定された排出口に残留用紙が導かれるので、残留用紙は自動分別されて排出口に排出される。
【００１４】
前記排出口決定部は、操作者によって設定された排出口決定条件を保持させるようにしてもよい。
【００１５】
また、この発明の画像形成装置において、前記用紙情報管理部は、前記用紙情報として、未印字、片面印字済及び両面印字済を示す情報を生成して記憶させ、前記排出口決定部は、残留用紙が、未印字、片面印字済又は両面印字済かを前記排出口決定条件とし、排出口を決定するようにしてもよい。前記用紙情報管理部は、前記用紙情報として、片面が印刷済である裏紙を給紙トレイにセットしたことを示す裏紙情報が記憶されている場合、この裏紙がセットされたことを考慮して、片面印字済及び両面印字済を示す情報を生成して記憶させるようにしてもよい。
【００１６】
また、この発明の画像形成装置において、前記用紙情報管理部は、前記用紙情報として、用紙種類を示す情報を記憶させ、前記排出口決定部は、残留用紙の用紙種類を前記排出口決定条件とし、排出口を決定するようにしてもよい。
【００１７】
また、この発明の画像形成装置において、前記用紙情報管理部は、前記用紙情報として、用紙位置を示す情報を記憶させ、前記排出口決定部は、残留用紙の用紙位置を前記排出口決定条件とし、排出口を決定するようにしてもよい。
【００１８】
また、この発明の画像形成装置において、前記用紙情報管理部は、前記用紙情報として、重要書類を示す情報を記憶させ、前記排出口決定部は、残留用紙が重要書類の印刷物かどうかを前記排出口決定条件とし、排出口を決定するようにしてもよい。
【発明の効果】
【００１９】
本発明の画像形成装置においては、紙詰まりなどのトラブルが生じたときに機内に残留する残留用紙は排出口に自動排出される。そして、この自動排出の際には、残留用紙の用紙情報と排出口決定条件とに基づいて残留用紙の排出口が決定され、この決定された排出口に残留用紙が自動排出されることになるので、残留用紙の自動分別が実現される。これにより、残留用紙を分別する負担が軽減される。
【図面の簡単な説明】
【００２０】
【図１】本発明の一実施形態に係る画像形成装置を示した機構構成図である。
【図２】本発明の一実施形態に係る画像形成装置を示した制御構成を示したブロック図である。
【図３】図１に示した画像形成装置における紙詰まり用紙及び残留用紙の発生箇所例を示した説明図である。
【図４】（Ａ）は、図２に示した用紙情報管理部において管理される用紙情報の内容を示した説明図、同（Ｂ）は、紙詰まり発生直後の図３の用紙（１），（２），（３）における各々の用紙情報の内容を例示した説明図である。
【図５】図２に示した操作パネルによる設定画面例を示した説明図である。
【図６】図２に示した制御部による紙詰まり処理時の制御例を示したフローチャートである。
【発明を実施するための最良の形態】
【００２１】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２２】
［機構構成］
この実施形態の画像形成装置は、例えば、原稿のスキャン画像を用紙に画像形成するコピー機能や外部からネットワーク等を介してデータ入力された画像データやテキストデータに基づく画像を用紙に画像形成するプリント機能などを有する複合機であり、図１に示すように、装置本体１内に、給紙部１０、用紙搬送路２０、画像形成部３０、定着部４０、排紙部５０などを備えたものである。また、装置本体１の筐体側面には、前記用紙搬送路２０を機外に露呈する開閉扉２、開閉扉２の開閉を検出する開閉検出センサ３などが設けられている。尚、図では、一つの開閉扉２及び開閉検出センサ３を記載しているが、必要に応じて複数個設けてもよい。
【００２３】
給紙部１０は給紙トレイ１１及び給紙ローラ１２などを備えている。前記給紙ローラ１２が給紙トレイ１１上の最上位置の用紙に接触しながら回転することによって前記用紙が用紙搬送路２０へと搬入される。図では一つの給紙部１０を示しているが、給紙部１０を複数設けることが可能である。給紙部１０を例えば４段設けた場合、第１の給紙部にはＡ４用紙を縦に配置し、第２の給紙部にはＡ４用紙を横に配置し、第３の給紙部にはＡ４厚紙用紙を横に配置し、第４の給紙部にはＡ４の裏紙を横に配置することなどができる。なお、このような裏紙や厚紙をセットしたことを示す情報は、後述する操作パネル４の各種の設定画面上で入力することができる。
【００２４】
用紙搬送路２０は、画像形成経路２０Ａ、排紙／反転経路２０Ｂ、両面搬送経路２０Ｃ、これら経路上に配置される各種ローラなどにより構成される。画像形成経路２０Ａには、タイミングローラ２１、二次転写ローラ３４、定着部４０などが設けられており、前記給紙ローラ１２によって給紙トレイ１１から取り出された用紙は、前記タイミングローラ２１の箇所で一旦待機され、画像形成動作に合わせて前記画像形成経路２０Ａへとタイミングローラ２１によって搬送される。
【００２５】
排紙／反転経路２０Ｂには、排紙／反転ローラ２２が設けられている。片面印刷の場合、前記画像形成経路２０Ａを通過した用紙は、前記排紙／反転経路２０Ｂに導かれ、排紙／反転ローラ２２が順方向回転することで排紙方向へ導かれる。一方、両面印刷の場合、前記画像形成経路２０Ａを通過した片面印刷済の用紙は、前記排紙／反転経路２０Ｂに導かれるが、排紙／反転ローラ２２が逆方向回転することで、後端であった用紙縁が先端となって両面搬送経路２０Ｃへと導かれる。
【００２６】
両面搬送経路２０Ｃには搬送ローラ２３，２４などが設けられている。両面搬送経路２０Ｃに導かれた片面印刷済の用紙は、搬送ローラ２３、２４により搬送され、前記タイミングローラ２１の箇所まで導かれ、一旦待機される。そして、画像形成動作に合わせて前記画像形成経路２０Ａへとタイミングローラ２１によって再搬送される。このように画像形成経路２０Ａを二度通過することによって両面印字された用紙は、前記排紙／反転経路２０Ｂに再び導かれる。今度は排紙／反転ローラ２２が順方向回転することで排紙方向へ導かれることになる。
【００２７】
また、前記用紙搬送路２０の各経路２０Ａ，２０Ｂ，２０Ｃには、複数の用紙センサ２５（１）〜（５）が設けられている。もちろん、これら以外にも用紙センサを設けることができる。ここで、図２にも示しているが、用紙センサ２５（１）はタイミングローラ２１の駆動を開始させるために用紙を検出する「タイミングセンサ」であり、用紙センサ２５（２）は定着部４０の近傍位置の用紙を検出する「定着センサ」であり、用紙センサ２５（３）は前記排紙／反転ローラ２２の近傍位置の用紙を検出する「排出センサ」であり、用紙センサ２５（４）及び用紙センサ２５（５）は、両面搬送経路２０Ｃを通過する用紙を検出する「両面搬送センサ」である。
【００２８】
画像形成部３０は、イエロー色用の画像形成ユニット３０Ｙと、マゼンダ色用の画像形成ユニット３０Ｍと、シアン色用の画像形成ユニット３０Ｃと、ブラック用の画像形成ユニット３０Ｋと、中間転写ベルト３３と、二次転写ローラ３４とを備えている。例えば、前記画像形成ユニット３０Ｙは、その感光体ドラム３１と、その周囲に配置された帯電装置（図示せず）と露光装置（図示せず）と現像装置（図示せず）と、一次転写ローラ３２と清掃装置（図示せず）とを備える。他の色の画像形成ユニット３０Ｍ，３０Ｃ，３０Ｋも、画像形成ユニット３０Ｙと同様の構成を有している。
【００２９】
そして、例えば、前記画像形成ユニット３０Ｙにおいて、その帯電装置で帯電された感光体ドラム３１にイエロー色の露光データに応じた光が照射されて静電潜像が形成される。次に、現像装置によってイエロー色のトナーが感光体ドラム３１に付着してトナー画像が形成される。この感光体ドラム３１上のイエロー色のトナー画像は一次転写ローラ３２によって中間転写ベルト３３に一次転写される。転写後における感光体ドラム３１上の残留トナーは前記清掃装置によって除去される。他の色の画像形成ユニット３０Ｍ，３０Ｃ，３０Ｋにおいても、前記画像形成ユニット３０Ｙと同様に、各色のトナー画像が一次転写ローラ３２によって中間転写ベルト３３に一次転写される。
【００３０】
上記各色の画像形成ユニットの一次転写によって中間転写ベルト３３上にはフルカラーのトナー画像が形成される。中間転写ベルト３３と二次転写ローラ３４との間を用紙が通過するときに、中間転写ベルト３３上の前記トナー画像が用紙の片側の面に転写される。中間転写ベルト３３の表面に残った残留トナーは清掃装置（図示せず）により除去される。
【００３１】
定着部４０は、例えば、熱源を有する回転定着ローラ４１と、この回転定着ローラ４１に接する回転ローラ４２とからなり、両ローラ４１，４２間を通過する用紙に対して加熱を施し、用紙に転写されたトナー画像を用紙に定着させる。
【００３２】
排紙部５０は、例えば、５つの排出口（排紙トレイ）５１（１）〜５１（５）と、４つの排出口切替爪５２（１）〜５２（４）とを備えている。例えば、用紙を排出すると決定された排出口５１が、上から３番目の排出口５１（３）である場合、排出口切替爪５２（１）及び５２（２）は、用紙を下方へ導くように位置する一方、排出口切替爪５２（３）は、用紙を排出口５１（３）へと導くように位置するように切り替えられる。この排出口切替爪５２（１）〜５２（４）は、後述する排出口切替ソレノイド装置５２Ａ（図２参照）によって個別に駆動され、各々の状態が切り替えられる。この実施形態では、排出口切替部は、排出口切替爪５２（１）〜５２（４）と排出口切替ソレノイド装置５２Ａとによって構成される。排出口切替ソレノイド装置５２Ａは排出口切替爪５２（１）〜５２（４）の各々に連結されるソレノイドを有し、これらソレノイドの作動部が個別に動作することで個別に排出口切替爪５２の位置（姿勢）を替える。また、排紙部５０には、例えば排出口５１（１）の手前となる位置に用紙の通過（用紙の排出）を検出する図示しない用紙通過検出スイッチを設けられる。そして、第１枚目の用紙の排出口と第２枚目の用紙の排出口が異なる場合、第１枚目の用紙の通過を前記用紙通過検出スイッチで検出した後に、前記排出口切替ソレノイド装置５２Ａを動作させ、排出口切替爪５２（１）〜５２（４）を駆動し、第２枚目の用紙が別の排出口に導かれるようにする。
【００３３】
［制御構成］
図２はこの実施形態の画像形成装置の制御構成を示したブロック図である。
【００３４】
制御部（マイクロコンピュータ）６０は、図示はしていないが、ＣＰＵと、このＣＰＵを動作させるプログラムや各種情報などを記憶するメモリ（ＲＯＭ，ＲＡＭ，ＥＥＰＲＯＭなど）と、各センサやモータなどを接続するためのＩ／Ｏ（インプット／アウトプット）インターフェースなどを備えており、この実施形態においては、制御部６０は、前記ＲＯＭに記憶されたプログラムデータを読み出して、システムを起動し、紙詰まり判断部６１、残留用紙検出部６２、用紙情報管理部６３、残留用紙認識部６４、排出口決定部６５、及び排出制御部６６としての各種制御動作を行う。
【００３５】
そして、このように機能する制御部６０は、前記給紙ローラ１２を駆動する給紙モータ１２Ａ、前記タイミングローラ２１を駆動するタイミングモータ２１Ａ、前記転写ローラ３４を駆動する転写モータ３４Ａ、前記回転定着ローラ４１を駆動する定着モータ４１Ａ、前記排紙／反転ローラ２２を駆動する排出反転モータ２２Ａ、前記両面搬送ローラ２３・２４を駆動する両面搬送モータ２３Ａ・２４Ａの動作を制御するために各モータにそれぞれ制御信号を与える。また、制御部６０は、後述する排出制御部６６としての機能動作により、前記排出口切替ソレノイド装置５２Ａにおける各ソレノイドの動作オン／オフを制御するために排出口切替ソレノイド装置５２Ａに制御信号を与える。また、制御部６０は、用紙センサ２５（１）〜２５（５）からのセンサ出力や前記扉開閉センサ３からのセンサ出力を受け取り、このセンサ出力に基づいた各種の制御を実行する。
【００３６】
更に、制御部６０は、タッチパネルやＬＣＤ等の表示パネルを備える操作パネル４を制御する。制御部６０は、操作パネル４に対して、操作者に対する通知を表示する通知画面、操作者に対して設定入力を促す設定入力画面及び操作者に対して操作入力を促す操作入力画面などの各種画面となる表示データを供給する。また、操作パネル４からの操作入力信号を受け取り、操作者が行った操作の内容や設定の内容を認識し、その情報を格納する。
【００３７】
制御部６０の紙詰まり判断部６１としての機能は、前記用紙搬送路２０上に設けられた複数の用紙センサ２５（１）〜２５（５）から受け取ったセンサ出力と用紙検出情報とタイマー出力とに基づいて紙詰まりの有無を判断する。例えば、用紙センサ２５（２）にて用紙が検出され、その時点からの経過時間が規定値を超えたにもかかわらず下流位置の用紙センサ２５（３）が用紙を検出できない場合、紙詰まりを生じたと判断することができる。もちろん、このような紙詰まり判断手法に限られるものではない。制御部６０は、紙詰まり判断部６１で紙詰まりの発生を検出すると、紙詰まりの発生、発生位置を操作パネル４に表示するなど紙詰まりの発生に基づく後述する制御動作を行う。
【００３８】
制御部６０の残留用紙検出部６２としての機能は、前記用紙搬送路２０上に前記紙詰まり用紙とは別に用紙が残留しているかどうかを用紙センサ２５（１）〜２５（５）の状態又は後述する用紙情報管理部６３の情報により検出する。例えば、紙詰まりの検出に関与した用紙センサ以外の用紙センサにて用紙を検出した場合、その用紙センサが設けられている箇所に残留用紙が存在することになる。この残留用紙の検出処理を図３を用いて以下に説明する。
【００３９】
図３は、画像形成装置の装置本体１において、紙詰まり用紙及び残留用紙の発生箇所を例示した説明図である。この図３では、用紙（１）が排紙／反転ローラ２２に進入するときに紙詰まりを起こし、用紙（２）が二次転写ローラ３４から定着部４０にかけて残留し、更に用紙（３）が給紙トレイ１１を出てタイミングローラ２１を少し通過した時点で残留していることを示している。
【００４０】
この図３の例であれば、残留用紙（２）は用紙センサ２５（２）（定着センサ）によって検出され、残留用紙（３）は用紙センサ２５（１）（タイミングセンサ）によって検出されることになる。この場合、残留用紙検出部６２は、前記用紙搬送路２０上に残留用紙（２）と残留用紙（３）が存在していることを検出することになる。また、後述する用紙情報管理部６３からの情報に基づき、用紙の位置を特定し残留用紙が存在する位置を特定することができる。用紙センサ２５（１）〜２５（５）で用紙を検出できない場合であっても用紙搬送路２０に残留用紙が存在する時には、用紙情報管理部６３の用紙先端位置または用紙後端位置の情報により、残留用紙の位置を特定することができる。
【００４１】
また、制御部６０は、上記の紙詰まりが検出されると、用紙情報管理部６３で管理される用紙情報における「ジャム状態」が「JAM」である用紙の位置をその用紙情報から判断し、そして、他の用紙の位置をその用紙情報から判断し、紙詰まり用紙の位置及び残留用紙の位置を操作パネル４に表示すると共に、前記紙詰まり用紙だけを取り除くことを要請するメッセージも操作パネル４に表示する。
【００４２】
図２に示した制御部６０の用紙情報管理部６３としての機能は、印刷する用紙についての印刷設定情報及び用紙状態情報から成る用紙情報を生成し、この生成した用紙情報を例えば制御部６０内のメモリの所定領域に記憶させる。この用紙情報は、この実施形態では用紙１枚ごとではなく、１面（１頁）ごとに生成している。すなわち、両面印刷する用紙の場合、表面用と裏面用とで別の用紙情報を生成し、表面印刷時には表面用の用紙情報による用紙管理を行い、裏面印刷時には裏面用の用紙情報による用紙管理を行う。この用紙情報の内容を図４（Ａ）及び（Ｂ）を用いて以下に説明する。
【００４３】
図４（Ａ）に、用紙情報管理部６３によって記憶及び更新される用紙情報の一例を示す。また、図４（Ｂ）には図３中の用紙（１），用紙（２），用紙（３）に対応させて紙詰まり直後（排出先は未決定状態）の用紙情報を示している。なお、用紙情報は、図４（Ａ）に示す内容が制御部６０内のメモリに格納されており、図４（Ｂ）に示す情報が別途格納されるものではない。図４（Ｂ）は、動作の説明の理解を容易にするために、図４（Ａ）中の必要な情報を例示したものである。図４（Ａ）の用紙情報の最左列の［情報］は、情報の種別を示し、中央の列の［データ（例）］は各情報の種別の内容を示し、最右列の［設定タイミング］は、各情報の設定（変更）のタイミングを示している。
【００４４】
前記［情報］中の「給紙トレイ」と「用紙サイズ」と「用紙向き」と「紙種」と「印刷条件」と「印刷モード」と「裏紙情報」と「排出先」については、印刷要求受付時に設定される。すなわち、これら情報は上述した印刷設定情報となる。また、前記［情報］中の「ジャム状態」は紙詰まり検出時に更新され、「印刷状態」は印刷の状態変化時に更新され、「用紙先端位置」及び「用紙後端位置」は用紙搬送中に更新され、用紙搬送が停止されると更新も停止されることになる。これら更新される情報は用紙状態情報である。このように更新される用紙状態情報については、最初の時点では初期値が設定されることになる。
【００４５】
ここで、制御部６０は、紙詰まり判断部６１によって紙詰まりが検出されると、用紙情報管理部６３の処理として、当該用紙の用紙情報について、「ジャム状態」を「NOT_JAM」から「JAM」に書き換える。また、制御部６０は、図２に示したように各種モータの制御を行うが、用紙情報管理部６３の処理として、用紙の先端の近傍上流に位置するローラ（予め各ローラの周長を記憶しておく）と、このローラを回転するモータの回転量とにより、用紙先端位置を計算して、「用紙先端位置」及び「用紙後端位置」を書き換えていく。また、制御部６０は、用紙後端位置が定着部４０を通過したことになる位置となったとき、用紙情報管理部６３として、当該用紙の用紙情報において、前記「印刷状態」を「未印字」から「片面印字済」に書き換える。また、制御部６０は、用紙が正常に画像形成されて機外に排出された場合には、用紙情報管理部６３の処理として画像形成された用紙の用紙情報を消去する処理を行う。
【００４６】
なお、前記の「用紙先端位置」及び「用紙後端位置」はタイミングローラ２１を始点とした距離であり、給紙トレイ１１を出た直後でタイミングローラ２１に達していない状態であればマイナス値となる。また、用紙がＡ４横である場合、Ａ４横の長さは２１０ｍｍであるので、「用紙後端位置」は「用紙先端位置」から２１０ｍｍを減算した値となる。そして、「用紙先端位置」及び「用紙後端位置」は、前述したが、モータの回転量と当該モータで回転されるローラの周長とから求まるローラ搬送量（距離）に対応することになる。用紙が用紙搬送路２０を進んで次のローラによって搬送されるようになると、当該次のローラが用紙位置算出のための対象ローラとなり、この対象ローラによるローラ搬送量がそれまでの用紙位置に対して加算されていく。なお、このような加算を繰り返すことによって誤差が累積し、例えば、或る用紙センサにて用紙が検出されているのに、その用紙センサの位置と「用紙先端位置」とが対応しないことが起こりうる。このような場合、用紙センサによる用紙検出を優先して、その用紙センサに対応した位置となる「用紙先端位置」に修正するようにしてもよい。
【００４７】
そして、印刷モードが「両面」である片面印刷済の用紙は、前記排紙／反転経路２０Ｂに導かれる。そして、排紙／反転ローラ２２が逆方向回転することで、後端であった用紙縁が先端となって両面搬送経路２０Ｃ側へ導かれる。このように後端であった用紙縁が先端となるとき、その用紙における「用紙先端位置」及び「用紙後端位置」は用紙情報管理部６３によって書き換えられる。また、両面印刷に関しては、例えば、１面目の段階の用紙情報における「給紙トレイ」は「１段目」で「排出先」は「両面搬送経路」となり、２面目の段階の用紙情報においては、「給紙トレイ」は「再給紙口（両面搬送経路２０Ｃ内であってタイミングローラ２１の手前）」で「排出先」は例えば「排紙トレイ（１）」のごとく変化していく。
【００４８】
図２に示した制御部６０の残留用紙認識部６４としての機能は、前記残留用紙検出部６２が残留用紙を検出すると、この残留用紙が、どのような用紙情報を有するかを、前記用紙情報管理部６３によって記憶及び更新された用紙情報に基づいて認識する。すなわち、前記残留用紙検出部６２からの検出結果を確認しただけでは、どのような印刷設定情報や用紙状態情報を持つ用紙が残留しているのか判別できないので、前記残留用紙認識部６４は、残留用紙が発生したときに当該残留用紙の用紙情報を前記用紙情報管理部６３によって記憶及び更新された情報に基づき、どのような用紙が残留したのかを認識する。複数の残留用紙が検出される場合、当該用紙を検出した例えば用紙センサ２５（１）〜（５）の各位置と用紙情報における「用紙先端位置」等の位置関係とによって、或る用紙センサ２５（１）〜（５）にて検出された残留用紙の用紙情報を認識（照合）することができる。図３及び図４Ｂに示した例であれば、用紙センサ２５（１）（タイミングセンサ）によって検出された残留用紙は用紙（３）の用紙情報を有する残留用紙であることを認識できる。
【００４９】
なお、残留用紙認識部６４は、開閉扉２が閉じられたことが扉開閉センサ３によって検出された後、用紙情報において「用紙先端位置」と「用紙後端位置」との間に存在する用紙センサのセンサ出力が「用紙無し」を示すこととなった場合、その残留用紙は操作者によって取り除かれたと判断し、前記用紙情報管理部６３中に存在する対応の用紙情報を消去する。これにより、機内に実際に残留している残留用紙の用紙情報のみが残ることになる。なお、制御部６０は、開閉扉２が閉じられた後、紙詰まり用紙に対応した位置の用紙センサのセンサ出力が「用紙無し」を示すこととなった場合、その紙詰まり用紙は操作者によって取り除かれたと判断し、前記用紙情報管理部６３は対応する用紙情報（ジャム状態が「JAM」であった用紙の用紙情報）を消去する。
【００５０】
図２に示した制御部６０の排出口決定部６５としての機能は、排出口決定条件と、前記残留用紙認識部６４で認識された残留用紙の用紙情報とに基づいて「排出先」を決定する。排出口決定条件は、残留用紙の排出口を決定するために操作者が操作パネル４等を用いて設定し、排出部決定部６５は、設定された条件を制御部６０のメモリの所定領域に格納し、その排出口決定条件が保持される。ここで、図２に示す操作パネル４に表示される排出口フィルタリング設定画面を図５に示す。この実施形態では、この排出口フィルタリング設定画面を操作することで、前記排出口決定条件が設定され、保持される。操作者が図５中の三角釦を操作すると、選択候補である、排紙トレイの番号、フェイスダウン／フェイスアップ、ＡＮＤ／ＯＲ、用紙サイズの具体的内容（Ａ４縦等）、印刷状態の具体的内容（片面印字等）が表示され、選択が行える。この図５に示した設定例であれば、「排紙トレイ（３）に，Ａ４縦またはＡ４横の，片面印字された，普通紙が，フェイスアップで，排出される。」という排出口決定条件が設定されたことになる。なお、操作パネル４を用いた設定入力に限らず、プリント時においてはパーソナルコンピュータの印刷指定画面において同様に排出口フィルタリング設定画面の表示を行って設定入力することも可能である。
【００５１】
なお、前記のフェイスダウン／フェイスアップは、排出口決定条件ではなく、排出態様を指定する情報となるものであるが、このような排出態様指定情報についても、この実施形態では前記操作パネル４の設定画面において指定できるようにし、この指定された排出態様は排出制御部６６においてその排出動作が制御される。もちろん、前記のように、プリント時においてはパーソナルコンピュータの印刷指定画面において排出態様を指定することができる。なお、フェイスダウン／フェイスアップを可能にする用紙反転機構としては、前記両面搬送経路２０Ｃを用いることができる。また、この他、排出部５０の近傍上流に専用の反転機構を設けて構成してもよい。
【００５２】
そして、排出口決定部６５が、前記の排出口決定条件と、前記残留用紙認識部６４で認識された残留用紙の用紙情報とに基づいて決定した「排出先」の情報を用紙情報管理部６３に与える。そして、用紙情報管理部６３は、該当用紙の用紙情報における「排出先」を、前記決定された「排出先」に書き換える。この場合、前記排出制御部６６は、開閉扉が閉じられたことが検出された後において、残留用紙認識部６４により認識される残留用紙の用紙情報の「排出先」に基づいて残留用紙ごとの排紙処理を行えばよいことになる。なお、用紙の「排出先」のこのような変更については、前記用紙情報管理部６３が管理する用紙情報の内容を書き換えるのではなく、用紙情報管理部６３が管理する用紙情報とは別に排出口決定部６５が各残留用紙の決定排出口情報として管理することも可能である。この場合、前記排出制御部６６は、開閉扉が閉じられたことが検出された後において、残留用紙認識部６４により認識される残留用紙の用紙情報の「排出先」に代わる排出先を排出口決定部６５で決定した情報に基づき残留用紙ごとの排紙処理を行えばよいことになる。
【００５３】
制御部６０は、前記紙詰まり判断部６１によって紙詰まりが検出されると、各モータの駆動を停止し、画像形成処理を停止すると共に用紙搬送を停止する。
【００５４】
上述したように、制御部６０は、上記の紙詰まりが検出されると、前記用紙情報管理部６３で管理される用紙情報における「ジャム状態」が「JAM」である用紙の位置をその用紙情報から判断し、また、他の用紙の位置をその用紙情報から判断する。図３及び図４Ｂの例であれば、用紙（１）は紙詰まり用紙として機内に存在し、用紙（２）と（３）は残留用紙として機内に存在する。なお、このような紙詰まり検出時点（操作パネル４に紙詰まり等の情報を表示する時点）での残留用紙の用紙情報取得を残留用紙認識部６４として取得してもよいが、このような残留用紙の位置を操作パネル４に表示するために取得する用紙情報は「ジャム状態」、「用紙先端位置」、「用紙後端位置」といった情報で足りることになる。
【００５５】
そして、制御部６０の排出制御部６０としての機能は、扉開閉センサ３にて開閉扉２が閉じられたことを検出すると、紙詰まり用紙が取り除かれ且つ残留用紙が存在するかどうかを判定する。紙詰まり用紙が取り除かれた場合は、前述したように、紙詰まり用紙の用紙情報（ジャム状態が「JAM」であった用紙の用紙情報）は消去されるので、紙詰まり用紙が存在しないことが分かる。また、ジャム状態が「NOT_JAM」である用紙情報が存在すれば、残留用紙が存在すると判断できる。
【００５６】
さらに、排出制御部６０は、前記紙詰まり用紙が取り除かれ且つ残留用紙が存在する場合、用紙搬送を行って残留用紙を用紙搬送路２０から排出するときに、前記排出口切替ソレノイド装置５２Ａに制御信号を送り、前記排出口切替ソレノイド装置５２Ａが個別に排出口切替爪５２を動作させ、前記排出口決定部６５で決定された排出口５１に各残留用紙を導く。ここで、この実施形態では、前記用紙情報管理部６３によって記憶または更新された用紙情報の「排出先」が残留用紙排出決定時に書き換えられるようにしているので、排出制御部６０は、用紙情報の決定された「排出先」によって各残留用紙の排出口を判断できる。
【００５７】
ここで、残留用紙として図３に示した用紙（２）と用紙（３）とが存在し、用紙（２）の排出先が「排紙トレイ（１）」で用紙（３）の排出先が「排紙トレイ（３）」であるならば、排出制御部６０は、まず、排出先が排出口５１（１）となるように前記排出口切替ソレノイド装置５２Ａに制御信号を送り、排出口切替ソレノイド装置５２Ａが排出口切替爪５２（１）〜５２（４）を駆動する。そして、用紙排出のための搬送のモータ（ローラ）駆動を行い、図示しない前記用紙通過検出スイッチによって１枚目の残留用紙（用紙（２））の排出を検出すると、排出先が排出口５１（３）となるように前記排出口切替ソレノイド装置５２Ａによって排出口切替爪５２（１）〜５２（４）が駆動される。これにより、前記２枚目の残留用紙（用紙（３））は排出口５１（３）に排出されることになる。
【００５８】
次に、図６に示した紙詰まり検出時の処理フローチャートに基づいて制御部６０の処理例を説明していく。
【００５９】
制御部６０は、紙詰まり判断部６１の機能動作としての処理を行い紙詰まり検出の処理を行う（ステップＳ１）、紙詰まりが生じたかどうかを判断する（ステップＳ２）。紙詰まりが生じていないなら処理をステップＳ１に戻す。
【００６０】
制御部６０は、紙詰まりが発生した場合、紙詰まり発生位置を操作パネル４に表示し（ステップＳ３）する。続いて、制御部６０は、残留用紙検出部６２、用紙情報管理部６３、残留用紙認識部６４の機能動作としての処理により、用紙情報に基づいて残留用紙を判断し（ステップＳ４）、残留用紙の位置を操作パネル４に表示する（ステップＳ５）。このとき、先にも述べたが、制御部６０は、紙詰まり用紙だけを取り除くよう通知する通知画面を操作パネル４に表示する。
【００６１】
次に、制御部６０は、開閉扉２が開けられたかどうかを判断し（ステップＳ６）、開閉扉２が開けられたと判断したならば次に開閉扉２が閉められたかどうかを判断する（ステップＳ７）。ステップＳ６及びステップＳ７においてＮｏと判断された場合はそれぞれのステップの判定処理を繰り返す。
【００６２】
制御部６０は、開閉扉２が閉められたと判断したならば、残留用紙検出部６２の機能動作の処理として、用紙センサ２５による残留用紙の検出を行う（ステップＳ８）。
【００６３】
次に、制御部６０は残留用紙認識部６４の機能動作の処理として、残留用紙検出部６２が検出した残留用紙検出結果と用紙情報管理部６３が格納または更新した用紙情報とを照合し、どのような印刷設定情報及び用紙状態情報を持つ用紙が残留したのかを認識する（ステップＳ９）。
【００６４】
制御部６０は、ステップＳ８及びステップＳ９の結果に基づき、紙詰まりに起因した用紙が残っているかどうかを判断し（ステップＳ１０）、紙詰まり用紙が依然残っているなら処理をステップＳ６に戻す。一方、制御部６０は、紙詰まり用紙が残っていないと判断したなら、残留用紙検出部６２にて残留用紙の有無を判断し（ステップＳ１１）、残留用紙も無いと判断した場合には、処理を終了する。すなわち、ステップＳ１１でＮｏとされた場合は、装置本体１内の全ての用紙が取り除かれたと判断し、この紙詰まり検出時の処理を終了する。
【００６５】
一方、制御部６０は、残留用紙が残っていると判断した場合には、排出部決定部６５の機能動作の処理として、各残留用紙について排出先を決定する（ステップＳ１２）。
【００６６】
そして、制御部６０は、各残留用紙について排出部決定部６５による排出先の決定内容に基づいて残留用紙を排出する処理を行う（ステップＳ１３）。具体的には、制御部６０は、排出制御部６６の機能動作の処理として、用紙搬送を再開して残留用紙を機外に排出する際に、前記排出口切替ソレノイド装置５２Ａのソレノイドを個別に動作させて排出口切替爪５２を駆動し、残留用紙ごとに決定された排出口５１に残留用紙を搬送する処理を行う。
【００６７】
なお、以上に説明した実施形態では、残留用紙の排出口を決定付ける用紙情報中の要素として、「用紙サイズ（Ａ４）」、「用紙向き（縦向き）」、「厚紙（紙種）」、「モノクロ（印刷条件）」、「Ｙｅｓ（裏紙情報）」、「片面印字済（印刷状態）」などを示したが、これらに限らない。
【００６８】
例えば、用紙が或る場所に位置するとき、この位置の上流側のローラの駆動モータがＤＣブラシレスモータであり且つ下流側のローラの駆動モータがステッピングモータであるとする。このようなローラ間箇所で用紙を停止させようとすると、下流側のローラはすぐに停止することが可能であるが、上流側のローラは慣性のためにすぐに停止できずにローラ間で用紙が引っ張られ、用紙がダメージを受けている可能性がある。そこで、排出口決定部６５は、ダメージ有りと判定すべき用紙位置範囲の情報に基づき、例えば用紙情報の「用紙先端位置」が上記のような範囲を示している残留用紙に対して当該用紙をダメージ紙用（再利用しない紙用）の排出口に排出するように決定してもよい。なお、このような排出口決定条件は、例えば、前記設定画面において、「ダメージを受けたと思われる用紙をダメージ紙用の排出口に排出する  Ｙｅｓ  Ｎｏ」のごとく表示して、「Ｙｅｓ」が操作者によって選択された場合に、有効となるようにしておけばよい。
【００６９】
また、図３に示した用紙（２）については、二次転写ローラ３４から定着部４０にかけて残留した残留用紙であるため、ダメージ紙用（再利用しない紙用）のための排出口に排出するといった処理を行うこととしてもよいが、この用紙（２）は排出に際して定着部４０を通ってトナー像は定着されるとして扱い、通常の排出口切替処理（設定）を行うことも可能である。
【００７０】
また、用紙情報管理部６３は、用紙情報として、重要書類かどうかを示す情報を記憶させ、前記排出口決定部６５は、重要書類かどうかを前記排出口決定条件として用いるように構成してもよい。なお、重要書類かどうかの情報は原稿情報といえるものであるが、印字によって用紙は重要書類となるから、用紙情報として管理しても問題はない。また、重要書類かどうかの情報は、印刷設定情報や用紙状態情報とは異なる用紙属性情報といえるものであり、このような用紙属性情報を用紙情報に含ませるようにしてもよいものである。重要書類かどうかに関しては、例えば、或る排紙トレイ（５）をシュレッダー処理用のトレイとし、残留用紙が片面印字済または両面印字済の重要書類である場合に、当該残留用紙を上記の排紙トレイ（５）に排紙することが考えられる。重要書類かどうかの設定はコピー時においては操作パネル４において設定したり、プリント時においてはパーソナルコンピュータの印刷指定画面において設定することなどが可能である。また、原稿に「重要書類」という文字が印字される場合においては、この文字をコピー動作の原稿読取時に文字認識して判断することも可能である。
【００７１】
また、裏紙に関し、用紙情報の「裏紙」がＹｅｓとなっている場合は、「印刷状態」が片面印字済となった状態で両面印字済となるので、前記排出口決定部６５は、このような場合は「両面印字済」の残留用紙として排出口を決定すればよい。
【００７２】
また、上記の実施形態では、両面印刷や片面印刷などが混在する場合も想定して用紙情報を管理しており、このため、用紙情報における印刷設定情報は各用紙（各頁）で異ならせている。また、ジョブ単位で用紙情報を管理する場合は、一つのジョブについて共通の印刷設定情報を保持することができ、用紙状態情報だけを各用紙（各頁）で管理するようにしてもよい。
【００７３】
また、この実施形態では、用紙情報管理部６３、用紙情報認識部６４、排出口決定部６５では、印刷設定情報や用紙状態情報を含む用紙情報を利用することとしたが、用紙状態情報（用紙位置や印字／未印字など）だけからなる用紙情報を用いることもでき、更に先述した重要書類かどうかを示す用紙情報によって残留用紙の排出口を振り分けるようにすることもできる。
【００７４】
また、上記の実施形態では、紙詰まりが生じた場合における装置本体１内の残留用紙についての排出口決定について述べたが、上記紙詰まりが生じた場合に限るものではない。他のトラブルにより、画像形成装置に印字動作が停止し、その後にトラブルが解消したときの残留用紙について排出口を決定するものにも適用できる。このような画像形成装置においては、排出制御部６６は、前記残留用紙検出部６２によって検出された残留用紙を前記用紙搬送路２０から排出する排紙処理を実行する際に、前記排出口決定部６５で決定された排出口に残留用紙が導かれるように排出口切替部（排出口切替爪５２（１）〜５２（４）と排出口切替ソレノイド装置５２Ａ）を動作させる。そして、このような画像形成装置において、紙詰まりを含むトラブルが生じた場合に印字動作を停止し、その後にトラブルが解消したときの残留用紙について排出口を決定することができる。この場合、制御部６０は、紙詰まり判断部６１に代わる又はこれと共に設けられるトラブル判断部としてトラブルを検出したときに印字動作を停止することになる。トラブルの内容としては、印字動作中に開閉扉２が開けられたような場合などが想定されるが、これに限るものではない。また、トラブル解消の判断は、上記開閉扉２の開がトラブルであるなら、開閉扉２の閉をトラブル解消と判断することできる。
【符号の説明】
【００７５】
１    装置本体
２    開閉扉
３    開閉検出センサ
１０  給紙部
２０  用紙搬送路
２０Ａ画像形成経路
２０Ｂ排紙／反転経路
２０Ｃ両面搬送経路
２５  用紙センサ
３０  画像形成部
３４  二次転写ローラ
４０  定着部
５０  排紙部
５１  排出口
５２  排出口切替爪
６０  制御部
６１  紙詰まり判断部
６２  残留用紙検出部
６３  用紙情報管理部
６４  残留用紙認識部
６５  排出口決定部（排出口決定条件保持）
６６  排出制御部
【図１】
2011063398.tif 000003
【図２】
2011063398.tif 000004
【図３】
2011063398.tif 000005
【図４】
2011063398.tif 000006
【図５】
2011063398.tif 000007
【図６】
2011063398.tif 000008